(57)【要約】【課題】生体に極力優しく、また、先端部材４０と係合部材７０との係合が簡単には解かれず、しかも、尖鋭部４３を貫通孔７１に押し込みやすい動物用タグ１０を提供する。【解決手段】第１タブ２０と、第１タブ２０から突出する軸部３０と、軸部３０に固定した先端部材４０と、第２タブ５０と、第２タブ５０から突出する筒部６０と、筒部６０に固定した係合部材７０とを有する。先端部材４０及び係合部材７０は、硬質のプラスチック材料で形成される。先端部材４０は、固定部４１と嵌合部４２と尖鋭部４３とを有し、尖鋭部４３と嵌合部４２との間には、段差部４４を有する。係合部材７０の中心には、貫通孔７１が設けられ、貫通孔７１の内周面には、複数の溝７２が設けられる。尖鋭部４３を貫通孔７１に押し込み、貫通孔７１内に嵌合部４２を位置させると、段差部４４と係合部材７０とが係合する。【選択図】  図１
2004242515.tif 000002
【特許請求の範囲】
【請求項１】
平板状の第１タブと、この第１タブの一端付近から第１タブに対してほぼ垂直に突出する軸部と、この軸部の先端に固定されている錐状の先端部材と、平板状の第２タブと、この第２タブの一端付近から第２タブに対してほぼ垂直に突出する円筒状の筒部と、この筒部の内部に固定されている環状の係合部材とを有し、
第１タブ及び第２タブは、軟質のプラスチック材料を用いて形成され、
第１タブ及び第２タブのうち少なくとも一方の表面には、識別標識が形成され、
先端部材及び係合部材は、硬質のプラスチック材料を用いて形成され、
先端部材は、その一端に、軸部との一体成型により軸部に固定される固定部を有し、この固定部の先端には、嵌合部を有し、この嵌合部の先端には、嵌合部側から先端方向へ向けて外径を次第に小さくする円錐状の尖鋭部を有し、
尖鋭部の嵌合部側端部の外径が嵌合部の尖鋭部側端部の外径よりも大きく形成されていることにより、尖鋭部と嵌合部との間には段差部が設けられ、
係合部材の中心には、尖鋭部の嵌合部側端部の外径よりも内径が小さい貫通孔が設けられているとともに、この貫通孔の内周面には、複数の溝が貫通孔の中心から見て放射状に設けられ、
尖鋭部を貫通孔に押し込むようにして挿通させ、貫通孔内に嵌合部を位置させると、段差部と係合部材とが係合するように形成されていることを特徴とする動物用タグ。
【請求項２】
第１タブと第２タブとは、脆弱な連結部を介して切り離し可能に連結されており、第２タブを静止させた状態で連結部を中心に第１タブを回動させると、尖鋭部が貫通孔の中心線上に位置して、貫通孔へ押し込み可能となることを特徴とする請求項１記載の動物用タグ。
【請求項３】
識別標識は、第１タブ及び第２タブの表面のうち、段差部と係合部材とを係合させた際に外側を向く面に形成されていることを特徴とする請求項２記載の動物用タグ。
【発明の詳細な説明】
【０００１】
【発明の属する技術分野】
本発明は、動物の耳に取り付ける動物用タグに関するものである。
【０００２】
【従来の技術】
従来から、動物用タグには、種々のものが提供されている。
例えば、平板状の２つのタブを備えた動物用タグが知られている。
ここで、一方のタブを第１タブとし、他方のタブを第２タブとして、この動物用タグについて更に詳しく説明する。
【０００３】
第１タブの所定位置には、第１タブに対してほぼ垂直に突出する軸部が設けられているとともに、この軸部の先端には、錐状の先端部材が固定されている。
また、第２タブの所定位置には、環状の係合部材が固定されている。
また、先端部材は、硬質のプラスチック材料を用いて形成され、一方、係合部材は、ステンレスなどの金属材料を用いて形成されている。
【０００４】
また、先端部材の先端は鋭く尖っており、これにより動物の耳を貫くことができるようになっている。
また、先端部材は、係合部材に係合可能に形成されている。
そして、この動物用タグの取り付けは、以下に示すようにして行われる。
まず、この動物用タグを所定のアプリケータ（取付装置）に装着する。そして、動物の耳の所定部位の表裏両側に先端部材と係合部材とをそれぞれ位置させ、この状態でアプリケータ（取付装置）を一気に操作する。そして、先端部材の先端で動物の耳を貫くと同時に、先端部材を係合部材に係合させる。そうすると、この動物用タグが動物の耳の所定部位に取り付けられるのである。
【０００５】
【特許文献１】
特表２００１−５２５１８８号公報
【特許文献２】
特公平３−７６８８９号公報
【特許文献３】
特公平４−３１６５２号公報
【特許文献４】
特公平６−９７９２４号公報
【特許文献５】
特許第２６５１１２８号公報
【特許文献６】
特開平５−３０８７４号公報
【０００６】
【発明が解決しようとする課題】
ところで、動物用タグは、動物の耳に長期にわたって取り付けられるため、生体に極力優しい材料で形成されることが好ましい。
そこで、本発明は、生体に極力優しく、また、先端部材と係合部材との係合が簡単には解かれず、しかも、尖鋭部を貫通孔に押し込みやすい動物用タグを提供することを第１の目的とする。
【０００７】
また、本発明は、動物の耳に取り付ける前においては、第１タブ又は第２タブのいずれか一方を紛失することがなく、また、動物の耳に取り付けた後においては、動物用タグが障害物に引っ掛かったときなどに動物の耳に傷をつけない動物用タグを提供することを第２の目的とする。
更に、本発明は、動物の耳に取り付けた後において、識別標識が見やすい動物用タグを提供することを第３の目的とする。
【０００８】
【課題を解決するための手段】
（１）第１の発明
第１の発明は、上述した第１の目的を達成するためのものであって、平板状の第１タブ（２０）と、この第１タブ（２０）の一端付近から第１タブ（２０）に対してほぼ垂直に突出する軸部（３０）と、この軸部（３０）の先端に固定されている錐状の先端部材（４０）と、平板状の第２タブ（５０）と、この第２タブ（５０）の一端付近から第２タブ（５０）に対してほぼ垂直に突出する円筒状の筒部（６０）と、この筒部（６０）の内部に固定されている環状の係合部材（７０）とを有し、第１タブ（２０）及び第２タブ（５０）は、軟質のプラスチック材料を用いて形成され、第１タブ（２０）及び第２タブ（５０）のうち少なくとも一方の表面には、識別標識（９０）が形成され、先端部材（４０）及び係合部材（７０）は、硬質のプラスチック材料を用いて形成され、先端部材（４０）は、その一端に、軸部（３０）との一体成型により軸部（３０）に固定される固定部（４１）を有し、この固定部（４１）の先端には、嵌合部（４２）を有し、この嵌合部（４２）の先端には、嵌合部（４２）側から先端方向へ向けて外径を次第に小さくする円錐状の尖鋭部（４３）を有し、尖鋭部（４３）の嵌合部（４２）側端部の外径が嵌合部（４２）の尖鋭部（４３）側端部の外径よりも大きく形成されていることにより、尖鋭部（４３）と嵌合部（４２）との間には段差部（４４）が設けられ、係合部材（７０）の中心には、尖鋭部（４３）の嵌合部（４２）側端部の外径よりも内径が小さい貫通孔（７１）が設けられているとともに、この貫通孔（７１）の内周面には、複数の溝（７２）が貫通孔（７１）の中心から見て放射状に設けられ、尖鋭部（４３）を貫通孔（７１）に押し込むようにして挿通させ、貫通孔（７１）内に嵌合部（４２）を位置させると、段差部（４４）と係合部材（７０）とが係合するように形成されていることを特徴とする。
【０００９】
すなわち、本発明に係る動物用タグ（１０）は、平板状の「第１タブ（２０）」と「第２タブ（５０）」とを備えている。
また、第１タブ（２０）の一端付近には、第１タブ（２０）に対してほぼ垂直に突出する「軸部（３０）」が設けられている。
また、軸部（３０）の先端には、錐状の「先端部材（４０）」が固定されている。
【００１０】
また、「軸部（３０）の先端」とは、軸部（３０）の第１タブ（２０）とは反対側の端部を意味する。
また、第２タブ（５０）の一端付近には、第２タブ（５０）に対してほぼ垂直に突出する円筒状の「筒部（６０）」が設けられている。
また、筒部（６０）の内部には、環状の「係合部材（７０）」が固定されている。
【００１１】
また、第１タブ（２０）及び第２タブ（５０）は、「軟質のプラスチック材料」を用いて形成されている。
また、「軟質のプラスチック材料」としては、例えば、ポリウレタン、又はナイロンなどを用いることができる。
また、第１タブ（２０）及び第２タブ（５０）のうち少なくとも一方の表面には、「識別標識（９０）」が形成されている。
【００１２】
また、「識別標識（９０）」は、主として、動物の個体を識別するためのものである。例えば、文字、図形、記号、数字、バーコード、点字、突起、立体的形状、又はパンチ穴などを「識別標識（９０）」とすることができる。
また、「識別標識（９０）」は、例えば、第１タブ（２０）の表面にのみ形成してもよく、また、第２タブ（５０）の表面にのみ形成してもよく、また、第１タブ（２０）及び第２タブ（５０）の双方の表面に形成してもよい。
【００１３】
また、「識別標識（９０）が形成され」としたのは、例えば、文字や図形や記号や数字やバーコードなどが印刷されることの他に、点字や突起や立体的形状などが設けられたり、パンチ穴が開けられたりすることを含む趣旨である。
また、先端部材（４０）及び係合部材（７０）は、「硬質のプラスチック材料」を用いて形成されている。
【００１４】
また、「硬質のプラスチック材料」としては、例えば、ポリカーボネート、塩化ビニル、又はＡＢＳなどを用いることができる。
また、先端部材（４０）は、「固定部（４１）」と「嵌合部（４２）」と「尖鋭部（４３）」とを有している。
また、「固定部（４１）」は、先端部材（４０）の一端に設けられ、また、「嵌合部（４２）」は、固定部（４１）の先端に設けられ、また、「尖鋭部（４３）」は、嵌合部（４２）の先端に設けられている。
【００１５】
すなわち、先端部材（４０）には、一端から先端へ向けて順に、「固定部（４１）」「嵌合部（４２）」及び「尖鋭部（４３）」が設けられている。
また、「固定部（４１）」は、軸部（３０）との一体成型により軸部（３０）に固定されている。
また、「尖鋭部（４３）」は、嵌合部（４２）側から先端方向へ向けて外径を次第に小さくする円錐状に形成されている。
【００１６】
また、「尖鋭部（４３）の先端」は鋭く尖っており、これにより動物の耳を貫くことができるようになっている。
また、「尖鋭部（４３）の嵌合部（４２）側端部の外径」は、「嵌合部（４２）の尖鋭部（４３）側端部の外径」よりも大きく形成されている。これにより、尖鋭部（４３）と嵌合部（４２）との間には、「段差部（４４）」が設けられている。
【００１７】
また、係合部材（７０）の中心には、「貫通孔（７１）」が設けられている。
また、「貫通孔（７１）の内径」は、「尖鋭部（４３）の嵌合部（４２）側端部の外径」よりも小さく形成されている。
また、貫通孔（７１）の内周面には、「複数の溝（７２）」が設けられている。
また、「複数の溝（７２）」は、貫通孔（７１）の中心から見て放射状に設けられている。
【００１８】
そして、尖鋭部（４３）を貫通孔（７１）に押し込むようにして挿通させ、貫通孔（７１）内に嵌合部（４２）を位置させると、段差部（４４）と係合部材（７０）とが係合する。
すなわち、尖鋭部（４３）の嵌合部（４２）側端部の外径は、貫通孔（７１）の内径よりも大きい。このため、尖鋭部（４３）を貫通孔（７１）に押し込むようにして挿通させると、段差部（４４）が貫通孔（７１）の周囲に当接して、尖鋭部（４３）が貫通孔（７１）から抜けなくなる。このようにして、段差部（４４）と係合部材（７０）とが係合するのである。
【００１９】
そして、本発明に係る動物用タグ（１０）は、先端部材（４０）及び係合部材（７０）を硬質のプラスチック材料で形成するとともに、貫通孔（７１）の内周面に複数の溝（７２）を設けていることにより、生体に極力優しく、また、先端部材（４０）と係合部材（７０）との係合が簡単には解かれず、しかも、尖鋭部（４３）を貫通孔（７１）に押し込みやすいのである。
【００２０】
すなわち、先端部材（４０）及び係合部材（７０）は、動物の耳に接触しやすいところである。このため、これらを金属材料で形成すると、動物用タグ（１０）が長期にわたって動物の耳に取り付けられている間に、金属が酸化したり溶け出したりして、生体に何らかの影響を及ぼすおそれがある。このため、本発明では、先端部材（４０）及び係合部材（７０）をプラスチック材料で形成して、生体に極力優くしているのである。
【００２１】
また、プラスチック材料には、軟質のものと硬質のものとがあるが、先端部材（４０）及び係合部材（７０）を軟質のプラスチック材料で形成すると、生体への影響のおそれは回避できても、今度は先端部材（４０）や係合部材（７０）が変形しやすくなって、先端部材（４０）と係合部材（７０）との係合が解かれやすくなってしまう。これでは、個体の識別標識としての機能を十分に発揮し得ない。このため、本発明では、先端部材（４０）及び係合部材（７０）を硬質のプラスチック材料で形成することにより、先端部材（４０）や係合部材（７０）を変形しにくくして、先端部材（４０）と係合部材（７０）との係合が解かれにくくしているのである。
【００２２】
更に、先端部材（４０）及び係合部材（７０）を硬質のプラスチック材料で形成すると、先端部材（４０）や係合部材（７０）が変形しにくくなることから、先端部材（４０）と係合部材（７０）との係合が解かれにくくなるものの、今度は尖鋭部（４３）を貫通孔（７１）に押し込みにくくなってしまう。このため、本発明では、貫通孔（７１）の内周面に複数の溝（７２）を設けることにより、貫通孔（７１）が広がりやすくして、尖鋭部（４３）を貫通孔（７１）に押し込みやすくしているのである。
【００２３】
（２）第２の発明
第２の発明は、上述した第２の目的を達成するためのものであって、第１タブ（２０）と第２タブ（５０）とは、脆弱な連結部（８０）を介して切り離し可能に連結されており、第２タブ（５０）を静止させた状態で連結部（８０）を中心に第１タブ（２０）を回動させると、尖鋭部（４３）が貫通孔（７１）の中心線上に位置して、貫通孔（７１）へ押し込み可能となることを特徴とする。
【００２４】
すなわち、本発明に係る動物用タグ（１０）は、第１タブ（２０）と第２タブ（５０）とを「連結部（８０）」で連結したものである。
また、「連結部（８０）」は、動物の耳よりも切れやすい程度に「脆弱」とすることが好ましい。
また、第２タブ（５０）を静止させた状態で連結部（８０）を中心に第１タブ（２０）を回動させると、尖鋭部（４３）が貫通孔（７１）の中心線上に位置して、貫通孔（７１）へ押し込み可能となる。
【００２５】
すなわち、連結部（８０）を中心に折り畳むようにして第１タブ（２０）と第２タブ（５０）とを向かい合わせると、第１タブ（２０）と第２タブ（５０）とを切り離さなくても、尖鋭部（４３）を貫通孔（７１）へ押し込むことができるようになるのである。
そして、本発明によれば、第１タブ（２０）と第２タブ（５０）とを脆弱な連結部（８０）で切り離し可能に連結したことから、動物の耳に取り付ける前においては、第１タブ（２０）又は第２タブ（５０）のいずれか一方を紛失することがなく、また、動物の耳に取り付けた後においては、動物用タグ（１０）が障害物に引っ掛かったときなどに動物の耳に傷をつけないのである。
【００２６】
すなわち、第１タブ（２０）と第２タブ（５０）とが分離されていると、動物の耳に取り付ける前に、第１タブ（２０）又は第２タブ（５０）のいずれか一方を紛失してしまうおそれがある。特に第１タブ（２０）及び第２タブ（５０）に同一の番号が付される場合にあっては、第１タブ（２０）と第２タブ（５０）とが分離されていると、どの第１タブ（２０）とどの第２タブ（５０）とがペアになるのかがわからなくなってしまう可能性がある。また、第１タブ（２０）又は第２タブ（５０）のいずれか一方を紛失してしまうと、残されたもう一方が使い物にならなくなってしまう。このため、本発明では、第１タブ（２０）と第２タブ（５０）とを連結部（８０）で連結することにより、動物の耳に取り付ける前においては、第１タブ（２０）又は第２タブ（５０）のいずれか一方を紛失することがないようにしているのである。
【００２７】
また、本発明では、連結部（８０）を脆弱にすることにより、動物の耳に取り付けた後において、動物用タグ（１０）が障害物に引っ掛かったときなどに、動物の耳よりも先に連結部（８０）が切れて、動物の耳に傷をつけることがないようにしているのである。
（３）第３の発明
第３の発明は、上述した第３の目的を達成するためのものであって、識別標識（９０）は、第１タブ（２０）及び第２タブ（５０）の表面のうち、段差部（４４）と係合部材（７０）とを係合させた際に外側を向く面に形成されていることを特徴とする。
【００２８】
ここで、「段差部（４４）と係合部材（７０）とを係合させた際に外側を向く面」とは、第１タブ（２０）については、段差部（４４）と係合部材（７０）とを係合させた際に第２タブ（７０）と向かい合う面とは反対側の面を意味し、また、第２タブ（７０）については、段差部（４４）と係合部材（７０）とを係合させた際に第１タブ（２０）と向かい合う面とは反対側の面を意味する。
【００２９】
そして、本発明によれば、段差部（４４）と係合部材（７０）とを係合させた際に外側を向く面に識別標識（９０）を形成することにより、動物の耳に取り付けた後において、識別標識（９０）を見やすくすることができるのである。
【００３０】
【発明の実施の形態】
（図面の説明）
図１ないし図１０は、本発明の実施の形態を示すものである。
図１は、動物用タグ１０の正面図、図２は、動物用タグ１０の背面図、図３は、動物用タグ１０の上面図、図４は、動物用タグ１０の図２のＡ−Ａ線断面図、図５は、動物用タグ１０の斜視図、図６は、係合部材７０の正面図、図７は、係合部材７０の背面図、図８は、係合部材７０の斜視図、図９は、動物用タグ１０の要部断面拡大図（非係合状態）、図１０は、動物用タグ１０の要部断面拡大図（係合状態）である。
【００３１】
（動物用タグ１０）
図１ないし図５に示すように、本実施の形態に係る動物用タグ１０は、平板状の第１タブ２０と、この第１タブ２０の一端付近から第１タブ２０に対してほぼ垂直に突出する軸部３０と、この軸部３０の先端に固定されている錐状の先端部材４０と、平板状の第２タブ５０と、この第２タブ５０の一端付近から第２タブ５０に対してほぼ垂直に突出する円筒状の筒部６０と、この筒部６０の内部に固定されている環状の係合部材７０とを有している。
【００３２】
（第１タブ２０）
第１タブ２０は、軟質のプラスチック材料を用いて、厚さ１ｍｍ程度の平板状に形成されている。また、軟質のプラスチック材料としては、ポリウレタンが用いられている。このため、第１タブ２０は、可撓性を有している。
また、第１タブ２０の表面のうち、軸部３０が突出する面とは反対側の面には、識別標識９０が形成されている。また、この識別標識９０は、第１タブ２０の表面に、文字や数字やバーコードなどを印刷することによって形成されている。
【００３３】
すなわち、第１タブ２０の表面のうち、段差部４４と係合部材７０とを係合させた際に外側を向く面、言い換えれば、段差部４４と係合部材７０とを係合させた際に第２タブ５０と向かい合う面とは反対側の面には、文字や数字やバーコードなどからなる識別標識９０が形成されている。このため、第１タブ２０の表面に形成されている識別標識９０は、動物用タグ１０を動物の耳に取り付けた際には、動物の耳とは反対側を向くのである。
【００３４】
（軸部３０）
軸部３０は、第１タブ２０の一端付近から第１タブ２０に対してほぼ垂直に突出している。また、軸部３０は、円筒状に形成され、また、軸部３０の中心には、軸孔３１が設けられている。
また、軸部３０は、第１タブ２０と同じ軟質のプラスチック材料（ポリウレタン）を用いて、射出成型により、第１タブ２０とともに一体成型されている。
【００３５】
（先端部材４０）
先端部材４０は、硬質のプラスチック材料を用いて、錐状に形成されている。また、硬質のプラスチック材料としては、ポリカーボネートが用いられている。
また、先端部材４０は、軸部３０の先端、すなわち、軸部３０の第１タブ２０とは反対側の端部に固定されている。
【００３６】
具体的には、先端部材４０は、図９及び図１０に示すように、固定部４１と嵌合部４２と尖鋭部４３とを有している。また、固定部４１は、先端部材４０の一端に設けられ、また、嵌合部４２は、固定部４１の先端に設けられ、また、尖鋭部４３は、嵌合部４２の先端に設けられている。すなわち、先端部材４０には、一端から先端へ向けて順に、固定部４１、嵌合部４２及び尖鋭部４３が設けられている。
【００３７】
また、固定部４１は、軸部３０との一体成型により軸部３０に固定されている。具体的には、固定部４１は、図９及び図１０に示すように、インサート成型により、軸部３０の先端付近に埋設されるようにして、軸部３０に固定されている。
また、図９及び図１０に示すように、固定部４１の外周には、環状の固定溝４５が設けられているとともに、この固定溝４５内には、軸部３０を構成する軟質のプラスチック材料（ポリウレタン）が入り込んでいる。このため、固定部４１が軸部３０から抜けないのである。
【００３８】
また、図９及び図１０に示すように、固定部４１の中心には、ピン孔４６が設けられている。また、ピン孔４６は、軸孔３１と連通している。
なお、図示しないが、軸孔３１及びピン孔４６には、アプリケータ（取付装置）のピンが差し込まれる。
また、嵌合部４２は、図９及び図１０に示すように、固定部４１側から尖鋭部４３側へ向けて外径を次第に小さくする円錐状に形成されている。
【００３９】
また、尖鋭部４３は、図９及び図１０に示すように、嵌合部４２側から先端方向へ向けて外径を次第に小さくする円錐状に形成されている。
また、尖鋭部４３の先端は鋭く尖っている。これにより、尖鋭部４３の先端で動物の耳を貫くことができるようにしている。
また、尖鋭部４３の外周には、環状の仮止め段部４７が設けられている。
【００４０】
また、図９及び図１０に示すように、尖鋭部４３の嵌合部４２側端部の外径は、嵌合部４２の尖鋭部４３側端部の外径よりも大きく形成されている。これにより、尖鋭部４３と嵌合部４２との間には、段差部４４が設けられている。
（第２タブ５０）
第２タブ５０は、第１タブ２０と同様に、軟質のプラスチック材料を用いて、厚さ１ｍｍ程度の平板状に形成されている。また、軟質のプラスチック材料としては、ポリウレタンが用いられている。このため、第２タブ５０も、第１タブ２０と同様に可撓性を有している。
【００４１】
また、第２タブ５０の表面のうち、筒部６０が突出する面には、識別標識９０が形成されている。また、この識別標識９０は、第２タブ５０の表面に、文字や数字を印刷することによって形成されている。
すなわち、第２タブ５０の表面のうち、段差部４４と係合部材７０とを係合させた際に外側を向く面、言い換えれば、段差部４４と係合部材７０とを係合させた際に第１タブ２０と向かい合う面とは反対側の面には、文字や数字などからなる識別標識９０が形成されている。このため、第２タブ５０の表面に形成されている識別標識９０も、第１タブ２０の表面に形成されている識別標識９０と同様に、動物用タグ１０を動物の耳に取り付けた際には、動物の耳とは反対側を向くようになっている。
【００４２】
（筒部６０）
筒部６０は、第２タブ５０の一端付近から第２タブ５０に対してほぼ垂直に突出している。また、筒部６０は、円筒状に形成され、また、筒部６０の中心には、尖鋭部４３を収納するための収納部６２が設けられている。また、筒部６０の第２タブ５０側の端部には、開口部６１が設けられ、また、筒部６０の第２タブ５０とは反対側の端部には、筒部６０を塞ぐカバー６３が設けられている。
【００４３】
また、筒部６０は、第２タブ５０と同じ軟質のプラスチック材料（ポリウレタン）を用いて、射出成型により、第２タブ５０とともに一体成型されている。
（係合部材７０）
係合部材７０は、硬質のプラスチック材料を用いて、環状に形成されている。
また、硬質のプラスチック材料としては、ポリカーボネートが用いられている。
【００４４】
また、係合部材７０は、筒部６０の内部の所定位置に固定されている。
具体的には、係合部材７０は、インサート成型により、その外縁を筒部６０の内部に埋設されるようにして、筒部６０の内部における第２タブ５０寄りの位置に固定されている。
また、係合部材７０の中心には、貫通孔７１が設けられており、また、貫通孔７１の中心は、筒部６０の中心と一致させてある。
【００４５】
またここで、図９及び図１０に示すように、貫通孔７１の開口部のうち、尖鋭部４３が挿入される側の開口部を「挿入口７３」とし、尖鋭部４３が突き抜ける側の開口部を「突き抜け口７４」とすると、貫通孔７１は、挿入口７３側から突き抜け口７４側へ向けて内径を次第に小さくする円錐状に形成されている。
また、貫通孔７１の内径は、尖鋭部４３の嵌合部４２側端部の外径よりも小さく形成されている。より具体的には、貫通孔７１の突き抜け口７４の内径は、尖鋭部４３の嵌合部４２側端部の外径よりも小さく形成されている。
【００４６】
また、図６ないし図１０に示すように、貫通孔７１の内周面には、複数の溝７２が設けられている。また、これら複数の溝７２は、貫通孔７１の中心から見て放射状に設けられている。
（連結部８０）
連結部８０は、第１タブ２０と第２タブ５０とを連結するためのものである。
【００４７】
図１、図２及び図５に示すように、本実施の形態に係る動物用タグ１０では、第１タブ２０と第２タブ５０とは、３つの連結部８０で連結されている。
また、各連結部８０は、動物の耳よりも切れやすい程度に脆弱とされている。
具体的には、各連結部８０は、第１タブ２０及び第２タブ５０と同じ軟質のプラスチック材料（ポリウレタン）を用いて、射出成型により、第１タブ２０及び第２タブ５０とともに一体成型されている。また、各連結部８０の肉厚は、第１タブ２０や第２タブ５０の肉厚よりも薄い０．３ｍｍ程度とされ、また、各連結部８０の幅は、１．５ｍｍ程度とされている。これにより、連結部８０は、動物の耳よりも切れやすい程度に脆弱とされている。
【００４８】
また、第１タブ２０と第２タブ５０とは、連結部８０で切り離すことができるようになっている。
また、第２タブ５０を静止させた状態で連結部８０を中心に第１タブ２０を回動させると、尖鋭部４３が貫通孔７１の中心線上に位置して、貫通孔７１へ押し込み可能となる。
【００４９】
すなわち、連結部８０を中心に折り畳むようにして第１タブ２０と第２タブ５０とを向かい合わせると、第１タブ２０と第２タブ５０とを切り離さなくても、尖鋭部４３を貫通孔７１へ押し込むことができるようになるのである。
（動物用タグ１０の取り付け方法）
そして、この動物用タグ１０の取り付けは、以下に示すようにして行われる。
【００５０】
図示しないが、まず、この動物用タグ１０を所定のアプリケータ（取付装置）に装着する。そして、動物の耳の所定部位の表裏両側に先端部材４０と係合部材７０とをそれぞれ位置させ、この状態でアプリケータ（取付装置）を一気に操作する。そして、尖鋭部４３の先端で動物の耳を貫くと同時に、尖鋭部４３を貫通孔７１に押し込むようにして挿通させて、貫通孔７１内に嵌合部４２を位置させる。そうすると、段差部４４と係合部材７０とが係合し、尖鋭部４３が貫通孔７１から抜けなくなって、この動物用タグ１０が動物の耳の所定部位に取り付けられる。
【００５１】
すなわち、尖鋭部４３の嵌合部４２側端部の外径は、貫通孔７１の突き抜け口７４の内径よりも大きい。このため、尖鋭部４３を貫通孔７１に押し込むようにして挿通させると、段差部４４が貫通孔７１の周囲に当接して、尖鋭部４３が貫通孔７１から抜けなくなる。このようにして、段差部４４と係合部材７０とが係合するのである。
以上説明したように、本実施の形態に係る動物用タグ１０は、先端部材４０及び係合部材７０を硬質のプラスチック材料で形成するとともに、貫通孔７１の内周面には複数の溝７２を設けている。このため、生体に極力優しく、また、先端部材４０と係合部材７０との係合が簡単には解かれず、しかも、尖鋭部４３を貫通孔７１に押し込みやすいのである。
【００５２】
すなわち、先端部材４０及び係合部材７０は、動物の耳に接触しやすいところであり、これらを金属材料で形成すると、動物用タグ１０が長期にわたって動物の耳に取り付けられている間に、金属が酸化したり溶け出したりして、生体に何らかの影響を及ぼすおそれがある。このため、本実施の形態に係る動物用タグ１０は、先端部材４０及び係合部材７０をプラスチック材料で形成することにより、生体に極力優くしているのである。
【００５３】
また、プラスチック材料には、軟質のものと硬質のものとがあるが、先端部材４０及び係合部材７０を軟質のプラスチック材料で形成すると、生体への影響のおそれは回避できても、今度は先端部材４０や係合部材７０が変形しやすくなって、先端部材４０と係合部材７０との係合が解かれやすくなってしまう。これでは、個体の識別標識としての機能を十分に発揮し得ない。このため、本実施の形態に係る動物用タグ１０は、先端部材４０及び係合部材７０を硬質のプラスチック材料で形成することにより、先端部材４０や係合部材７０を変形しにくくして、先端部材４０と係合部材７０との係合が解かれにくくしているのである。
【００５４】
更に、先端部材４０及び係合部材７０を硬質のプラスチック材料で形成すると、先端部材４０や係合部材７０が変形しにくくなることから、先端部材４０と係合部材７０との係合が解かれにくくなるものの、今度は尖鋭部４３を貫通孔７１に押し込みにくくなってしまう。このため、本実施の形態に係る動物用タグ１０は、貫通孔７１の内周面に複数の溝を設けることにより、貫通孔７１が広がりやすくして、尖鋭部４３を貫通孔７１に押し込みやすくしているのである。
【００５５】
また、本実施の形態に係る動物用タグ１０は、第１タブ２０と第２タブ５０とが脆弱な連結部８０で切り離し可能に連結されている。このため、動物の耳に取り付ける前においては、第１タブ２０又は第２タブ５０のいずれか一方を紛失することがなく、また、動物の耳に取り付けた後においては、動物用タグ１０が障害物に引っ掛かったときなどに動物の耳に傷をつけないのである。
【００５６】
すなわち、第１タブ２０と第２タブ５０とが分離されていると、動物の耳に取り付ける前に、第１タブ２０又は第２タブ５０のいずれか一方を紛失してしまうおそれがある。特に第１タブ２０及び第２タブ５０に同一の番号が付される場合にあっては、第１タブ２０と第２タブ５０とが分離されていると、どの第１タブ２０とどの第２タブ５０とがペアになるのかがわからなくなってしまう可能性がある。また、第１タブ２０又は第２タブ５０のいずれか一方を紛失してしまうと、残されたもう一方が使い物にならなくなってしまう。このため、本実施の形態に係る動物用タグ１０は、第１タブ２０と第２タブ５０とを連結部８０で連結することにより、動物の耳に取り付ける前においては、第１タブ２０又は第２タブ５０のいずれか一方を紛失することがないようにしているのである。
【００５７】
また、本実施の形態に係る動物用タグ１０は、連結部８０を脆弱にすることにより、動物の耳に取り付けた後においては、動物用タグ１０が障害物に引っ掛かったときなどに、動物の耳よりも先に連結部８０が切れるようにして、動物の耳に傷をつけないようにしているのである。
また、本実施の形態に係る動物用タグ１０は、段差部４４と係合部材７０とを係合させた際に外側を向く面に識別標識９０が形成されている。このため、動物の耳に取り付けた際に、識別標識９０が見やすいのである。
【００５８】
また、本実施の形態に係る動物用タグ１０は、段差部４４と係合部材７０とを係合させた際に、尖鋭部４３が収納部６２に収納されるとともに、尖鋭部４３の先端がカバー６３で覆われるようになっている。このため、尖鋭部４３の先端によって、他の動物に傷をつけることがないのである。
【００５９】
【発明の効果】
以上説明したように、第１の発明によれば、生体に極力優しく、また、先端部材と係合部材との係合が簡単には解かれず、しかも、尖鋭部を貫通孔に押し込みやすい動物用タグを提供できるのである。
また、第２の発明によれば、動物の耳に取り付ける前においては、第１タブ又は第２タブのいずれか一方を紛失することがなく、また、動物の耳に取り付けた後においては、動物用タグが障害物に引っ掛かったときなどに動物の耳に傷をつけない動物用タグを提供できるのである。
【００６０】
更に、第３の発明によれば、動物の耳に取り付けた後において、識別標識が見やすい動物用タグを提供できるのである。
【図面の簡単な説明】
【図１】本発明の実施の形態に係る動物用タグの正面図。
【図２】本発明の実施の形態に係る動物用タグの背面図。
【図３】本発明の実施の形態に係る動物用タグの上面図。
【図４】本発明の実施の形態に係る動物用タグの図２のＡ−Ａ線断面図。
【図５】本発明の実施の形態に係る動物用タグの斜視図。
【図６】本発明の実施の形態に係る動物用タグの係合部材の正面図。
【図７】本発明の実施の形態に係る動物用タグの係合部材の背面図。
【図８】本発明の実施の形態に係る動物用タグの係合部材の斜視図。
【図９】本発明の実施の形態に係る動物用タグの要部断面拡大図。
【図１０】本発明の実施の形態に係る動物用タグの要部断面拡大図。
【符号の説明】
１０  動物用タグ                  ２０  第１タブ
３０  軸部                        ３１  軸孔
４０  先端部材                    ４１  固定部
４２  嵌合部                      ４３  尖鋭部
４４  段差部                      ４５  固定溝
４６  ピン孔                      ４７  仮止め段部
５０  第２タブ                    ６０  筒部
６１  開口部                      ６２  収納部
６３  カバー                      ７０  係合部材
７１  貫通孔                      ７２  溝
７３  挿入口                      ７４  突き抜け口
８０  連結部                      ９０  識別標識
【図１】
2004242515.tif 000003
【図２】
2004242515.tif 000004
【図３】
2004242515.tif 000005
【図４】
2004242515.tif 000006
【図５】
2004242515.tif 000007
【図６】
2004242515.tif 000008
【図７】
2004242515.tif 000009
【図８】
2004242515.tif 000010
【図９】
2004242515.tif 000011
【図１０】
2004242515.tif 000012